(57)【特許請求の範囲】
【請求項１】
電話回線を介して入力される信号に基づき、宅内の電気機器を制御するテレコン信号を出力するテレコントロール装置において、
前記電話回線接続部と、前記テレコン信号を出力する出力部と、テレコン親子機間通信を可能にした通信部とを備え、テレコン親機またはテレコン子機設定の親子切換スイッチを備え、
テレコン親機一台とテレコン子機の台数との合計が複数台登録された場合、電話回線を介しての信号入力時に、操作する電気機器のアドレス番号入力をうながし、アドレス番号入力後、該電気機器の操作信号入力をうながす手段を備え、
テレコン親機一台だけが登録された場合、及びテレコン親機一台とテレコン子機一台とが登録され、テレコン親機の出力部が無効とされた場合、電話回線を介しての信号入力時に、操作する電気機器のアドレス番号入力をうながさず、直接電気機器の操作信号入力をうながす手段を備えたことを特徴とするテレコントロール装置。
【請求項２】
前記テレコン子機が複数設置される場合の、テレコン子機アドレスを設定するアドレス設定スイッチを備えたことを特徴とする請求項１記載のテレコントロール装置。
【請求項３】
前記テレコン親機に設定した場合の、前記出力部の有効、無効の切換スイッチを備えたことを特徴とする請求項１記載のテレコントロール装置。
【請求項４】
前記出力部と宅内電気機器間の双方向通信または単方向通信の切換スイッチを備えたことを特徴とする請求項１ないし３のいずれか一項記載のテレコントロール装置。
【発明の詳細な説明】
【０００１】
【発明の属する技術分野】
本発明は、例えば、外出先から電話することにより動作して、宅内の電気機器を操作するテレコントロール装置に関する。
【０００２】
【従来の技術】
一般に、電話回線を介して入力される信号に基づき、宅内の電気機器を制御するテレコン信号を出力するテレコントロール装置が知られている。この種のものでは、テレコントロール装置が、電話回線接続部と、テレコン信号を出力する出力部とを備えて構成されている。
【０００３】
従って、このテレコントロール装置を宅内に設置する場合、電話回線のモジュラージャックが、その部屋になければならない。
【０００４】
【発明が解決しようとする課題】
テレコントロール装置によって例えば空気調和機を制御する場合、空気調和機は各部屋に設置されるが、電話回線のモジュラージャックは各部屋にある場合が少なく、電話回線のモジュラージャックがない部屋では、新たに電話回線のモジュラージャックを設置しなければならない。
【０００５】
本発明の目的は、従来の技術が有する課題を解消し、電話回線のモジュラージャックがない部屋であっても、テレコントロール装置を設置することができるテレコントロール装置を提供することにある。
【０００６】
【課題を解決するための手段】
請求項１記載の発明は、電話回線を介して入力される信号に基づき、宅内の電気機器を制御するテレコン信号を出力するテレコントロール装置において、前記 電話回線接続部と、前記テレコン信号を出力する出力部と、テレコン親子機間通信を可能にした通信部とを備え、テレコン親機またはテレコン子機設定の親子切換スイッチを備え、テレコン親機一台とテレコン子機の台数との合計が複数台登録された場合、電話回線を介しての信号入力時に、操作する電気機器のアドレス番号入力をうながし、アドレス番号入力後、該電気機器の操作信号入力をうながす手段を備え、テレコン親機一台だけが登録された場合、及びテレコン親機一台とテレコン子機一台とが登録され、テレコン親機の出力部が無効とされた場合、電話回線を介しての信号入力時に、操作する電気機器のアドレス番号入力をうながさず、直接電気機器の操作信号入力をうながす手段を備えたことを特徴とするテレコントロール装置。
【０００７】
請求項２記載の発明は、請求項１記載のものにおいて、前記テレコン子機が複数設置される場合の、テレコン子機アドレスを設定するアドレス設定スイッチを備えたことを特徴とする。
【０００８】
請求項３記載の発明は、請求項１記載のものにおいて、前記テレコン親機に設定した場合の、前記出力部の有効、無効の切換スイッチを備えたことを特徴とする。
【０００９】
請求項４記載の発明は、請求項１ないし３のいずれか一項記載のものにおいて、前記出力部と宅内電気機器間の双方向通信または単方向通信の切換スイッチを備えたことを特徴とする。
【００１２】
【発明の実施の形態】
以下、本発明による一実施形態を添付の図面を参照して説明する。
【００１３】
図１において、各部屋１Ａ，１Ｂには、壁掛け型空気調和機３Ａ，３Ｂが設置されている。壁掛け型空気調和機３Ａ，３Ｂは、各テレコントロール装置５Ａ，５Ｂにより運転が制御される。１階の部屋１Ａのテレコントロール装置５Ａは、ＡＣアダプタ６を介して商用電源に接続されると共に、コード８を介して、電話回線のモジュラージャック７に接続されている。このモジュラージャック７には電話機９が並列に接続されている。
【００１４】
２階の部屋１Ｂのテレコントロール装置５Ｂは、ＡＣアダプタ１０を介して商用電源に接続されている。ただし、２階の部屋１Ｂには、電話回線のモジュラージャックがなく、このテレコントロール装置５Ｂは、１階の部屋１Ａのテレコントロール装置５Ａとの間で無線通信可能に接続されている。
【００１５】
図２は、テレコントロール装置５Ａ，５Ｂを示している。このテレコントロール装置５Ａ，５Ｂの回路は共通である。
【００１６】
テレコントロール装置５Ａ，５Ｂは、モジュラージャック７に接続される電話回線接続部１１と、電源１３とを備える。電話回線接続部１１は、電話回線制御部１４と、ＤＴＭＦレシーバ１５と、音声合成部１６と、リンガー検出部１７とを介してＣＰＵ１８に接続される。ＤＴＭＦレシーバ１５は、プッシュ式電話機からのボタン操作音を受け、どのボタンが押されたかをＣＰＵ１８に入力する。このＣＰＵ１８には、空気調和機に対してテレコン信号を送信する赤外送信用ＬＥＤ（出力部）２１と、空気調和機からの制御情報信号を受信する赤外受信用レシーバ２２と、テレコン親子機５Ａ，５Ｂ間通信を可能にしたＲＦモジュール２３および内蔵アンテナ２４からなる通信部２５とが接続され、さらに各種設定用スイッチ２７が接続される。
【００１７】
テレコントロール装置５Ａ，５Ｂは、図３Ａ、Ｂに示すように、上ケース３１と下ケース３２と中ケース３３とを備え、各種設定用スイッチ２７は、中ケース３３の表面に設置されている。
【００１８】
各種設定用スイッチ２７は、暗証番号設定およびテレコン子機登録用プッシュスイッチ３７と、電話の呼出回数設定スイッチ３９と、テレコン親機またはテレコン子機を設定する親子切換スイッチ４１と、テレコン親機に設定した場合の、赤外送信用ＬＥＤ（出力部）２１の有効、無効の切換スイッチ４２と、テレコン子機が複数設置された場合の、テレコン子機アドレスを設定するアドレス設定スイッチ４３と、赤外線双方向または赤外線単方向を設定する切換スイッチ４５とを備えて構成されている。
【００１９】
本実施形態では、１階のモジュラージャック７に接続されたテレコントロール装置５Ａが親機を構成し、この親機５Ａと無線通信可能に接続された２階のテレコントロール装置５Ｂが子機を構成する。
【００２０】
１階のテレコントロール装置５Ａの各種設定用スイッチ２７は、つぎのように操作される。まず、親子切換スイッチ４１が親機側に切り換えられる。ついで、プッシュスイッチ３７により暗証番号が入力され、電話呼出回数設定スイッチ３９により呼出回数が設定される。これら暗証番号の入力および呼出の回数設定等は親機のみで行われ、後述する子機では行われない。
【００２１】
また、図１の例では、切換スイッチ４５が、赤外線通信単方向に切り換えられる。例えば、空気調和機３Ａが、赤外線受信機能を有するだけで、赤外線送信機能を有しない場合、単方向に切り換えられる。
【００２２】
２階のテレコントロール装置５Ｂの各種設定用スイッチ２７は、つぎのように操作される。まず、親子切換スイッチ４１が子機側に切り換えられる。ついで、プッシュスイッチ３７により親機との間で通信を行い、親機に対する子機登録が行われる。また、図１の例では、切換スイッチ４５が、赤外線通信双方向に切り換えられる。図１の例では、テレコン子機が一台であるが、本システムでは、複数のテレコン子機（空気調和機）の接続が可能である。
【００２３】
例えば、テレコン子機が二台の場合、一台目のテレコン子機の設定では、その親子切換スイッチ４１が子機側に切り換えられ、ついで、アドレス設定スイッチ４３が一台目に切り換えられ、この状態で、プッシュスイッチ３７により親機との間で通信を行い、親機に対する一台目の子機登録が行われる。
【００２４】
ついで、二台目のテレコン子機の設定では、その親子切換スイッチ４１が子機側に切り換えられ、ついで、アドレス設定スイッチ４３が二台目に切り換えられ、この状態で、プッシュスイッチ３７により親機との間で通信を行い、親機に対する二台目の子機登録が行われる。
【００２５】
図４に示す別の例では、テレコン親機５Ａが、専ら電話回線からの信号をテレコン子機５Ｂに中継する機能を有する。
【００２６】
このテレコン親機５Ａでは、各種設定用スイッチ２７の操作に際し、まず、親子切換スイッチ４１が親機側に切り換えられ、ついで、切換スイッチ４２によって、赤外送信用ＬＥＤ２１の無効が選択される。その他の、各種設定用スイッチ２７の操作は、上記と同様である。
【００２７】
本実施形態では、モジュラージャック７がない部屋１Ｂでも、簡単にテレコントロール装置を設置できる。また、各種設定用スイッチ２７を操作することによって、複数のテレコントロール装置間通信を可能にし、複数の電気機機器のテレコン制御を実行することができる。
【００２８】
つぎに、図５を参照して、本実施形態の動作を説明する。
【００２９】
携帯電話、ＰＨＳ、公衆電話等から自宅に電話をかけると、「ピンポーン、ただいま外出しています。」のように音声案内される（Ｓ１）。ここで、あらかじめ設定された暗証番号が入力されると（Ｓ２）、登録されたテレコントロール装置が、単独か否かが判断される（Ｓ３）。これが単独の場合には、テレコン親機一台だけが登録されている場合に限らず、テレコン親子機二台が登録され、例えば、図４に示すように、テレコン親機５Ａの赤外送信用ＬＥＤ２１の無効が選択されている場合が含まれる。
【００３０】
Ｓ３で、テレコントロール装置が単独ではない場合、「操作するエアコン（テレコントロール装置）の番号を入れて下さい。」のように音声案内される（Ｓ４）。本システムでは、アドレス設定スイッチ４３によって、テレコン親機５Ａの番号が「０」、テレコン子機５Ｂの番号が「１」、テレコン子機が複数台ある場合、それぞれ「２」「３」のように番号付けされている。
【００３１】
この番号入力が完了した場合、「エアコンの停止は００＃、冷房は０１＃、暖房は０２＃、除湿は０３＃、確認は０４＃を押して下さい。」のように音声案内される（Ｓ５）。
【００３２】
例えば、停止「００＃」が押されると、「停止します。」のように音声案内されて空気調和機の運転が停止される（Ｓ６）。また、確認「０４＃」が押されると、「冷房運転しています。室温は３０℃です。設定は２５℃です。」等の各種情報が音声案内される（Ｓ７）。
【００３３】
そして、冷房「０１＃」、暖房「０２＃」、除湿「０３＃」のいずれかが押されると、それに対応して「冷房（暖房、除霜）運転します。室温は３０℃です。」等の各種情報が音声案内される（Ｓ８）。
【００３４】
ついで、「設定は２５℃です。変更する場合は希望の温度を、最初に戻る場合は「＃」を押して下さい。」のように音声案内され（Ｓ９）、「＃」を押すと最初に戻り、設定温度を入力すると、「はい、設定温度を２０℃に変更しました。」のように音声案内される（Ｓ１０）。
【００３５】
本実施形態では、テレコン親子機複数台が登録された場合、電話回線を介しての信号入力時に、操作する電気機器のアドレス番号入力をうながし（Ｓ４）、アドレス番号入力後、該電気機器の操作信号入力をうながす手段（Ｓ５）を備えたため、複数のテレコントロール装置の制御が可能になる。
【００３６】
また、テレコン親機一台が登録された場合、或いはテレコン親子機二台が登録され、テレコン親機の出力部が無効とされた場合、電話回線を介しての信号入力時に、操作する電気機器のアドレス番号入力をうながさず、直接電気機器の操作信号入力をうながす手段（Ｓ５）を備えたため、Ｓ４のような余分な操作が不要になり、操作性を向上させることができる。
【００３７】
以上、一実施形態に基づいて本発明を説明したが、本発明は、これに限定されるものでないことは明らかである。例えば、宅内の電気機器は、空気調和機以外のすべての機器に適用が可能である。
【００３８】
【発明の効果】
本発明では、例えばモジュラージャックがない部屋でも、簡単にテレコントロール装置を設置することができる。
【図面の簡単な説明】
【図１】本発明によるテレコントロール装置の一実施形態を示す図である。
【図２】同じく回路図である。
【図３】Ａはテレコントロール装置の上ケースを示し、Ｂは下ケースを示す図である。
【図４】別の実施形態を示す図１相当図である。
【図５】音声案内に従うフローチャートである。
【符号の説明】
１Ａ，１Ｂ  部屋
３Ａ，３Ｂ  空気調和機
５Ａ，５Ｂ  テレコントロール装置
７  モジュラージャック
１１  電話回線接続部
１３  電源
１４  電話回線制御部
１５  ＤＴＭＦレシーバ
１６  音声合成部
１７  リンガー検出部
１８  ＣＰＵ
２１  赤外送信用ＬＥＤ（出力部）
２２  赤外受信用レシーバ
２５  通信部
２７  各種設定用スイッチ
３７  プッシュスイッチ
３９  呼出回数設定スイッチ
４１  親子切換スイッチ
４２  有効、無効の切換スイッチ
４３  アドレス設定スイッチ
４５  切換スイッチ
【図１】
0004484406.tif 000002
【図２】
0004484406.tif 000003
【図３】
0004484406.tif 000004
【図４】
0004484406.tif 000005
【図５】
0004484406.tif 000006